(57)【要約】【課題】  無線アクセスポイントによる消費電力および周囲の電波環境に与える影響を低減し、第三者からの不正接続防止の性能を向上させるアクセスポイント制御装置を提供する。【解決手段】  アクセスポイント制御装置は、無線アクセスポイント１６を利用可能なユーザ毎に、認証情報と、無線アクセスポイント１６が無線通信に用いる無線設定情報２４とを関連付けて記憶する記憶部１１と、認証情報の入力に用いられる操作パネル１７と、操作パネル１７を介して入力された認証情報と、記憶部１１に記憶されている認証情報とを比較して、入力された認証情報のユーザを認証する認証処理部と、認証処理部によって前記入力された認証情報のユーザが認証されると、無線アクセスポイント１６を起動し、認証されたユーザの認証情報に関連付けられている無線設定情報に基づいて、無線アクセスポイント１６を動作させるアクセスポイント動作制御部とを含む。【選択図】      図５
2015073253.tif 000002
【特許請求の範囲】
【請求項１】
無線アクセスポイントが搭載された電子機器に備えられるアクセスポイント制御装置であって、
前記無線アクセスポイントを利用可能なユーザごとに、該ユーザを認証するために用いられる認証情報と、前記無線アクセスポイントが無線通信を実行するために用いられる無線設定情報とを関連付けて記憶する記憶部と、
認証情報の入力に用いられる入力部と、
前記入力部を介して入力された認証情報と、前記記憶部に記憶されている認証情報とを比較して、前記入力された認証情報のユーザを認証する認証処理部と、
前記認証処理部によって前記入力された認証情報のユーザが認証されると、前記無線アクセスポイントを起動し、認証されたユーザの認証情報に関連付けられている無線設定情報に基づいて、該無線アクセスポイントに無線通信を実行させるアクセスポイント動作制御部とを含むことを特徴とするアクセスポイント制御装置。
【請求項２】
無線アクセスポイントが搭載された電子機器に備えられるアクセスポイント制御装置であって、
ユーザを認証するために用いられる認証情報と、前記無線アクセスポイントが無線通信を実行するために用いられる無線設定情報とが関連付けられた事前入力情報の入力に用いられる第１の入力部と
前記第１の入力部を介して入力された事前入力情報を記憶する記憶部と、
認証情報の入力に用いられる第２の入力部と、
前記第２の入力部を介して入力された認証情報と、前記記憶部に記憶されている認証情報とを比較して、前記入力された認証情報のユーザを認証する認証処理部と、
前記認証処理部によって前記入力された認証情報のユーザが認証されると、前記無線アクセスポイントを起動し、認証されたユーザの認証情報に関連付けられている無線設定情報に基づいて、該無線アクセスポイントに無線通信を実行させるアクセスポイント動作制御部とを含むことを特徴とするアクセスポイント制御装置。
【請求項３】
無線アクセスポイントが搭載された電子機器に備えられるアクセスポイント制御装置であって、
前記無線アクセスポイントが無線通信を実行するために用いられる無線設定情報の入力に用いられる第１の入力部と
ユーザを認証するために用いられる認証情報を生成する認証情報生成部と、
前記第１の入力部を介して入力された無線設定情報と、前記認証情報生成部によって生成された認証情報とを関連付けて記憶する記憶部と、
認証情報の入力に用いられる第２の入力部と、
前記第２の入力部を介して入力された認証情報と、前記記憶部に記憶されている認証情報とを比較して、前記入力された認証情報のユーザを認証する認証処理部と、
前記認証処理部によって前記入力された認証情報のユーザが認証されると、前記無線アクセスポイントを起動し、認証されたユーザの認証情報に関連付けられている無線設定情報に基づいて、該無線アクセスポイントに無線通信を実行させるアクセスポイント動作制御部とを含むことを特徴とするアクセスポイント制御装置。
【請求項４】
記憶部および入力部を備え、無線アクセスポイントが搭載される電子機器であって、前記記憶部には、前記無線アクセスポイントを利用可能なユーザごとに、該ユーザを認証するために用いられる認証情報と、前記無線アクセスポイントが無線通信を実行するために用いられる無線設定情報とが関連付けて記憶される電子機器の前記無線アクセスポイントを制御するアクセスポイント制御方法であって、
前記入力部を介して入力された認証情報と、前記記憶部に記憶されている認証情報とを比較して、前記入力された認証情報のユーザを認証する認証処理工程と、
前記認証処理工程において前記入力された認証情報のユーザが認証されると、前記無線アクセスポイントを起動し、認証されたユーザの認証情報に関連付けられている無線設定情報に基づいて、該無線アクセスポイントに無線通信を実行させるアクセスポイント動作制御工程とを含むことを特徴とするアクセスポイント制御方法。
【請求項５】
無線アクセスポイントと、
記録媒体上に画像を形成する画像形成部と、
請求項１〜３のいずれか１つに記載のアクセスポイント制御装置とを備えることを特徴とする画像形成装置。
【請求項６】
無線アクセスポイントと、
記録媒体上に画像を形成する画像形成部と、
前記無線アクセスポイントを利用可能なユーザごとに、該ユーザを認証するために用いられる認証情報と、前記無線アクセスポイントが無線通信を実行するために用いられる無線設定情報と、前記画像形成部が記録媒体上に画像を形成する際に用いられる印刷設定情報とを互いに関連付けて記憶する記憶部と、
認証情報の入力に用いられる入力部と、
前記入力部を介して入力された認証情報と、前記記憶部に記憶されている認証情報とを比較して、前記入力された認証情報のユーザを認証する認証処理部と、
前記認証処理部によって前記入力された認証情報のユーザが認証されると、前記無線アクセスポイントを起動し、認証されたユーザの認証情報に関連付けられている無線設定情報に基づいて、該無線アクセスポイントに無線通信を実行させるアクセスポイント動作制御部と
前記無線アクセスポイントが無線通信を実行しているときに、該無線アクセスポイントを介して印刷指示が入力されると、認証されたユーザの認証情報に関連付けられている印刷設定情報に基づいて画像が形成されるように、前記画像形成部を制御する印刷制御部とを含むことを特徴とする画像形成装置。
【発明の詳細な説明】
【技術分野】
【０００１】
本発明は、画像形成装置などの電子機器に搭載された無線ＬＡＮ（Local Area Network）アクセスポイントを制御するアクセスポイント制御装置およびアクセスポイント制御方法、ならびにそのアクセスポイント制御装置を備える画像形成装置に関する。
【背景技術】
【０００２】
たとえば特許文献１に開示されるように、近年、ノートパソコンやスマートフォンなどの無線ＬＡＮクライアント（以下、「無線端末装置」と称する）間を、あるいは無線端末装置と有線ＬＡＮとを無線ＬＡＮで接続するための電波中継機である無線ＬＡＮアクセスポイント（以下、「無線アクセスポイント」と略記する）が搭載された、画像形成装置などの電子機器が開発されている。
【０００３】
無線アクセスポイントは、自装置に予め設定されているＳＳＩＤ（Service Set Identifier）などの情報を含んだビーコン（beacon）と呼ばれる信号（以下、「ビーコン信号」と称する）を、定期的（たとえば１００ミリ秒ごと）に外部へ送出するように動作しており、無線端末装置は、このビーコン信号を受信することで、無線アクセスポイントの存在を検出することができる。
【０００４】
このように、無線アクセスポイントは、無線端末装置が自装置に無線通信可能に接続されているか否かに拘わらず、外部へ電波を発信しているので、消費電力の観点から見ると無駄が多く、また、自装置の周囲の電波環境に対して不要に影響を及ぼしているという問題がある。
【０００５】
また、無線アクセスポイントには、ＳＳＩＤ、セキュリティ方式、暗号方式および暗号化キーなど複数の項目によって構成される無線設定情報が予め設定されており、この無線設定情報に基づいて、無線アクセスポイントと無線端末装置とは、無線通信可能に接続されるが、無線アクセスポイントは、前記のように、ＳＳＩＤなどの情報を含んだビーコン信号を常に発信しているので、第三者がいつでも不正なアクセスを試みることが可能であり、この不正なアクセスによって無線設定情報が漏洩してしまうおそれがある。
【０００６】
そして、無線設定情報が漏洩してしまった場合には、無線アクセスポイントに設定されている無線設定情報を変更するだけではなく、その無線設定情報を保持している一または複数の無線端末装置においても、無線設定情報を変更しなければならなくなるという問題もある。
【０００７】
上記の引用文献１には、画像形成装置に搭載される無線アクセスポイントを介して、無線端末装置をネットワークに接続する方法については開示されているが、無線アクセスポイントの動作を制御する方法については開示されていない。
【先行技術文献】
【特許文献】
【０００８】
【特許文献１】特開２００８−６２４４０号公報
【発明の概要】
【発明が解決しようとする課題】
【０００９】
本発明の目的は、無線アクセスポイントによる消費電力を低減するとともに周囲の電波環境に与える影響を低減し、かつ第三者からの不正接続防止の性能を向上させることができるアクセスポイント制御装置、アクセスポイント制御方法および画像形成装置を提供することである。
【課題を解決するための手段】
【００１０】
本発明は、無線アクセスポイントが搭載された電子機器に備えられるアクセスポイント制御装置であって、
前記無線アクセスポイントを利用可能なユーザごとに、該ユーザを認証するために用いられる認証情報と、前記無線アクセスポイントが無線通信を実行するために用いられる無線設定情報とを関連付けて記憶する記憶部と、
認証情報の入力に用いられる入力部と、
前記入力部を介して入力された認証情報と、前記記憶部に記憶されている認証情報とを比較して、前記入力された認証情報のユーザを認証する認証処理部と、
前記認証処理部によって前記入力された認証情報のユーザが認証されると、前記無線アクセスポイントを起動し、認証されたユーザの認証情報に関連付けられている無線設定情報に基づいて、該無線アクセスポイントに無線通信を実行させるアクセスポイント動作制御部とを含むことを特徴とするアクセスポイント制御装置である。
【００１１】
また本発明は、無線アクセスポイントが搭載された電子機器に備えられるアクセスポイント制御装置であって、
ユーザを認証するために用いられる認証情報と、前記無線アクセスポイントが無線通信を実行するために用いられる無線設定情報とが関連付けられた事前入力情報の入力に用いられる第１の入力部と
前記第１の入力部を介して入力された事前入力情報を記憶する記憶部と、
認証情報の入力に用いられる第２の入力部と、
前記第２の入力部を介して入力された認証情報と、前記記憶部に記憶されている認証情報とを比較して、前記入力された認証情報のユーザを認証する認証処理部と、
前記認証処理部によって前記入力された認証情報のユーザが認証されると、前記無線アクセスポイントを起動し、認証されたユーザの認証情報に関連付けられている無線設定情報に基づいて、該無線アクセスポイントに無線通信を実行させるアクセスポイント動作制御部とを含むことを特徴とするアクセスポイント制御装置である。
【００１２】
また本発明は、無線アクセスポイントが搭載された電子機器に備えられるアクセスポイント制御装置であって、
前記無線アクセスポイントが無線通信を実行するために用いられる無線設定情報の入力に用いられる第１の入力部と
ユーザを認証するために用いられる認証情報を生成する認証情報生成部と、
前記第１の入力部を介して入力された無線設定情報と、前記認証情報生成部によって生成された認証情報とを関連付けて記憶する記憶部と、
認証情報の入力に用いられる第２の入力部と、
前記第２の入力部を介して入力された認証情報と、前記記憶部に記憶されている認証情報とを比較して、前記入力された認証情報のユーザを認証する認証処理部と、
前記認証処理部によって前記入力された認証情報のユーザが認証されると、前記無線アクセスポイントを起動し、認証されたユーザの認証情報に関連付けられている無線設定情報に基づいて、該無線アクセスポイントに無線通信を実行させるアクセスポイント動作制御部とを含むことを特徴とするアクセスポイント制御装置である。
【００１３】
また本発明は、記憶部および入力部を備え、無線アクセスポイントが搭載される電子機器であって、前記記憶部には、前記無線アクセスポイントを利用可能なユーザごとに、該ユーザを認証するために用いられる認証情報と、前記無線アクセスポイントが無線通信を実行するために用いられる無線設定情報とが関連付けて記憶される電子機器の前記無線アクセスポイントを制御するアクセスポイント制御方法であって、
前記入力部を介して入力された認証情報と、前記記憶部に記憶されている認証情報とを比較して、前記入力された認証情報のユーザを認証する認証処理工程と、
前記認証処理工程において前記入力された認証情報のユーザが認証されると、前記無線アクセスポイントを起動し、認証されたユーザの認証情報に関連付けられている無線設定情報に基づいて、該無線アクセスポイントに無線通信を実行させるアクセスポイント動作制御工程とを含むことを特徴とするアクセスポイント制御方法である。
【００１４】
また本発明は、無線アクセスポイントと、
記録媒体上に画像を形成する画像形成部と、
請求項１〜３のいずれか１つに記載のアクセスポイント制御装置とを備えることを特徴とする画像形成装置である。
【００１５】
また本発明は、無線アクセスポイントと、
記録媒体上に画像を形成する画像形成部と、
前記無線アクセスポイントを利用可能なユーザごとに、該ユーザを認証するために用いられる認証情報と、前記無線アクセスポイントが無線通信を実行するために用いられる無線設定情報と、前記画像形成部が記録媒体上に画像を形成する際に用いられる印刷設定情報とを互いに関連付けて記憶する記憶部と、
認証情報の入力に用いられる入力部と、
前記入力部を介して入力された認証情報と、前記記憶部に記憶されている認証情報とを比較して、前記入力された認証情報のユーザを認証する認証処理部と、
前記認証処理部によって前記入力された認証情報のユーザが認証されると、前記無線アクセスポイントを起動し、認証されたユーザの認証情報に関連付けられている無線設定情報に基づいて、該無線アクセスポイントに無線通信を実行させるアクセスポイント動作制御部と
前記無線アクセスポイントが無線通信を実行しているときに、該無線アクセスポイントを介して印刷指示が入力されると、認証されたユーザの認証情報に関連付けられている印刷設定情報に基づいて画像が形成されるように、前記画像形成部を制御する印刷制御部とを含むことを特徴とする画像形成装置である。
【発明の効果】
【００１６】
本発明によれば、無線アクセスポイントによる消費電力を低減するとともに周囲の電波環境に与える影響を低減し、かつ第三者からの不正接続防止の性能を向上させることができる。
【図面の簡単な説明】
【００１７】
【図１】本発明の第１の実施形態に係る画像形成装置１の外観を示す斜視図である。
【図２】本発明の第１の実施形態に係る画像形成装置１の要部構成を示すブロック図である。
【図３】記憶部１１に格納されるユーザ権限情報２１の一例を説明するための図である。
【図４】記憶部１１に格納されるグループ権限情報２２の一例を説明するための図である。
【図５】本実施形態に係る画像形成装置１に搭載される無線アクセスポイント１６の動作を開始させるためのシーケンス図である。
【図６】画像形成装置１の表示部１８に表示されるログイン画面Ｄ１の一例を示す図である。
【図７】画像形成装置１の表示部１８に表示されるログイン失敗画面Ｄ２の一例を示す図である。
【図８】画像形成装置１の表示部１８に表示される無線設定選択画面Ｄ３の一例を示す図である。
【図９】画像形成装置１の表示部１８に表示される結果画面Ｄ４の一例を示す図である。
【図１０】本実施形態に係る画像形成装置１に搭載される無線アクセスポイント１６の動作を停止させるためのシーケンス図である。
【図１１】画像形成装置１の表示部１８に表示される結果画面Ｄ５の一例を示す図である。
【図１２】本発明の第２の実施形態に係る画像形成装置１Ａの要部構成を示すブロック図である。
【図１３】本発明の第３の実施形態に係る画像形成装置１Ｂの要部構成を示すブロック図である。
【発明を実施するための形態】
【００１８】
（第１の実施形態）
図１は、本発明の第１の実施形態に係る画像形成装置１の外観を示す斜視図である。本実施形態に係る画像形成装置１には、無線ＬＡＮ（Local Area Network）アクセスポイント（以下、「無線アクセスポイント」と略記する）が搭載されており、ノートパソコンやスマートフォンなどの無線ＬＡＮクライアント（以下、「無線端末装置」と称する）２と無線ＬＡＮで接続可能に構成されている。なお、以下では、本実施形態に係る画像形成装置１が、複数の部署を有する企業に設置され、その構成員によって用いられる場合を例に挙げて説明する。
【００１９】
図２は、本発明の第１の実施形態に係る画像形成装置１の要部構成を示すブロック図である。画像形成装置１は、記憶部１１、制御部１２、画像入力部１３、画像処理部１４、画像形成部１５、無線アクセスポイント１６、および操作パネル１７などのハードウェアを備え、全体としてデジタル複合機を構成している。
【００２０】
記憶部１１は、たとえば不揮発性の半導体メモリによって実現され、画像処理用の画像データ、ハードウェア各部を制御するための制御プログラム、無線アクセスポイント１６の動作を制御するための制御プログラム、後述するユーザ権限情報２１（図３参照）およびグループ権限情報２２（図４参照）を含む権限情報データベース、ならびに無線アクセスポイント１６を介して無線端末装置２から受信した画像データなどを記憶する。
【００２１】
制御部１２は、ハードウェア各部を制御するＣＰＵ（Central Processing Unit）と、制御の際に必要なデータなどを一時的に保持するＲＡＭ（Random Access Memory）とを備えている。制御部１２は、必要に応じて記憶部１１から制御プログラムをロードし、ロードした制御プログラムを実行することにより、装置全体を画像形成装置１として動作させ、また、無線アクセスポイント１６の動作を制御する。
【００２２】
本実施形態では、制御部１２は、認証処理部、アクセスポイント動作制御部、および印刷制御部として機能する。また、制御部１２によって、本発明に係るアクセスポイント制御方法が実行される。
【００２３】
入力部である操作パネル１７は、ユーザの指示を受け付けるための各種ボタン、指示の確定を受け付けるエンターキー、テンキーなどを備えている。さらに、操作パネル１７は、液晶ディスプレイなどによって実現される表示部１８を備え、各種の画面を表示する。また、表示部１８には、タッチセンサが付設されており、タッチパネルとして機能するように構成されている。操作パネル１７を介して入力された指示およびデータは、制御部１２へ渡される。
【００２４】
画像入力部１３は、原稿の画像を光学的に読み取る読取手段であり、読取用の原稿に光を照射する光源およびＣＣＤ（Charge Coupled Device）イメージセンサなどを備えている。画像入力部１３では、所定の読取位置にセットされた原稿からの反射光像をイメージセンサに結像させ、ＲＧＢ（Ｒ：Red，Ｇ：Green，Ｂ：Blue）のアナログ電気信号を出力する。画像入力部１３が出力したアナログ電気信号は画像処理部１４に入力される。
【００２５】
画像形成部１５は、画像処理部１４から出力される画像データに基づいて、用紙およびＯＨＰフィルムなどの記録媒体上に画像形成を行う。そのため、画像形成部１５は、感光体ドラム、該感光体ドラムを所定の電位に帯電させる帯電器、外部から受け付けた画像データに応じてレーザ光を発して感光体ドラム上に静電潜像を生成させるレーザ書込装置、感光体ドラム表面に形成された静電潜像にトナーを供給して顕像化する現像器、感光体ドラム表面に形成されたトナー像を用紙上に転写する転写器などを備えており、電子写真方式によって、ユーザが所望する画像を記録媒体上に形成する。
【００２６】
なお、本実施形態では、上記のように、画像形成装置１は、レーザ書込装置を用いた電子写真方式によって画像形成を行うように構成されているが、これに限らず、インクジェット方式、熱転写方式、昇華方式などの方式によって画像形成を行うように構成されてもよい。
【００２７】
画像処理部１４は、画像入力部１３を通じて入力されるアナログ電気信号を基にデジタル形式の画像データを生成し、画像の種類に応じた処理を施した後、出力用の画像データを生成する。生成した画像データは画像形成部１５に出力される。
【００２８】
無線アクセスポイント１６は、ＩＥＥＥ８０２．１１諸規格（たとえばＩＥＥＥ８０２．１１ａ／ｂ／ｇ／ｎ）に対応したアクセスポイントによって実現される。無線アクセスポイント１６は、無線設定情報２４（図３および図４参照）を設定可能であり、無線設定情報２４には、ＳＳＩＤ（Service Set Identifier）、セキュリティ方式、暗号方式、暗号化キー、チャンネル、電波強度など複数の項目についての情報が含まれる。
【００２９】
本実施形態では、無線設定情報２４において、セキュリティ方式は、オープン認証（Open）、ＷＥＰ（Wired Equivalent Privacy）、ＷＰＡ−ＰＳＫ（Wi-Fi Protected Access Pre-Shared Key）、ＷＰＡ２−ＰＳＫ、ＷＰＡ、およびＷＰＡ２の中から選択可能であり、暗号方式は、ＴＫＩＰ（Temporal Key Integrity Protocol）およびＡＥＳ（Advanced Encryption Standard）の中から選択可能とされている。また、チャンネルは、１〜１３の中から選択可能とされ、電波強度は、強・中・弱の中から選択可能とされている。
【００３０】
図３は、記憶部１１に格納されるユーザ権限情報２１の一例を説明するための図であり、図４は、記憶部１１に格納されるグループ権限情報２２の一例を説明するための図である。記憶部１１には、これらユーザ権限情報２１およびグループ権限情報２２を含む権限情報データベースが予め格納される。
【００３１】
ユーザ権限情報２１は、前記構成員ごとに予め作成されて、記憶部１１の前記権限情報データベースに格納される。各ユーザ権限情報２１は、図３に示すように、その構成員に関する情報であるユーザ情報２３、その構成員によって予め設定された無線設定情報２４、および、その構成員によって予め設定された印刷設定情報２５を含んで構成される。すなわち、記憶部１１には、前記構成員ごとに、ユーザ情報２３と、無線設定情報２４と、印刷設定情報２５とが互いに関連付けられて格納される。
【００３２】
ユーザ情報２３には、本実施形態では、その構成員（以下、「ユーザ」と称する）を識別するための文字列であるユーザＩＤ、そのユーザを認証するために用いられる文字列であるパスワード、そのユーザのメールアドレス、およびそのユーザが前記企業において所属している部署を示す所属グループなどの情報が含まれる。図３に示すユーザ権限情報２１の例では、そのユーザが、「事業部」および「営業部」に所属していることが示されている。
【００３３】
なお、ユーザＩＤおよびパスワードは、そのユーザが、画像形成装置１にアクセス（ログイン）するための認証情報を構成している。本実施形態では、このように認証情報としてパスワードを用いているが、他の実施形態では、パスワードに代えて、指紋や虹彩などの生体情報が用いられてもよい。なお、生体情報が用いられる場合には、画像形成装置１には、別途に生体情報を読み取るための読取装置が設置される。この場合には、前記読取装置は、入力部として機能する。
【００３４】
無線設定情報２４は、無線アクセスポイント１６が無線端末装置２との間で無線通信を実行する際に用いられる無線通信設定用の情報を含んで構成され、無線設定情報２４には、前述のＳＳＩＤ、セキュリティ方式、暗号方式、暗号化キー、チャンネル、電波強度などの情報のほかに、その無線設定に対して付された名称を示す情報が含まれる。
【００３５】
印刷設定情報２５は、上記の無線設定情報２４に基づいて無線アクセスポイント１６と無線通信可能に接続された無線端末装置２から、該無線アクセスポイント１６を介して画像形成装置１に送信された印刷ジョブの印刷を実行する際に用いられる印刷設定用の情報である。
【００３６】
印刷設定情報２５には、カラー印刷の許否を示す情報、およびモノクロ印刷の許否を示す情報が含まれる。さらに、印刷設定情報２５には、これらの情報に加えて、図示しないが、片面印刷・両面印刷などの印刷方法、長辺とじ・短辺とじなどのとじ方向、印刷品質、ページレイアウト、および変倍率などの各種の情報が含まれる。
【００３７】
一方、グループ権限情報２２は、グループごとに予め作成されて、記憶部１１の前記権限情報データベースに格納される。本実施形態では、グループ権限情報２２は、「事業部」、「営業部」、「開発Ｇｒ」および「経理部」の各部署ごとに予め作成されている。
【００３８】
グループ権限情報２２は、図４に示すように、その部署の名称を示す情報２６、その部署について予め設定された無線設定情報２４、およびその部署について予め設定された印刷設定情報２５を含んで構成される。なお、グループ権限情報２２に含まれる無線設定情報２４および印刷設定情報２５は、ユーザ権限情報２１に含まれる無線設定情報２４および印刷設定情報２５と同一の項目から成るため、ここでは説明を省略する。
【００３９】
以下、本実施形態に係る画像形成装置１に搭載される無線アクセスポイント１６と無線端末装置２とを無線通信可能に接続する方法について説明する。なお、画像形成装置１に搭載される無線アクセスポイント１６は、無線端末装置２が１台も無線通信可能に接続されていない状態（以下、「待機状態」と称する）では、その動作が停止されているものとする。具体的には、無線アクセスポイント１６は、待機状態では、ＳＳＩＤなどを通知するためのビーコン信号を外部へ送出する動作が停止され、また、外部から送信された信号を受け付けない状態とされているものとする。
【００４０】
図５は、本実施形態に係る画像形成装置１に搭載される無線アクセスポイント１６の動作を開始させるためのシーケンス図である。先ず、ユーザによって、画像形成装置１の操作パネル１７を介して、無線アクセスポイント１６の動作を開始させるためのモードへ移行するための指示が与えられると、ステップｓ１で、表示プロセスは、表示部１８にログイン画面Ｄ１を表示させる。ここで、表示プロセスとは、制御部１２によって実行される、表示部１８を制御するプロセスのことである。
【００４１】
図６は、画像形成装置１の表示部１８に表示されるログイン画面Ｄ１の一例を示す図である。本実施形態では、前記のように、ユーザが画像形成装置１にログインするための認証情報として、ユーザＩＤとパスワードとが用いられるように構成されているので、ログイン画面Ｄ１には、ユーザＩＤを入力するための入力欄３１と、パスワードを入力するための入力欄３２と、入力内容を確定するためのＯＫボタン３３とが設けられている。
【００４２】
このログイン画面Ｄ１が表示部１８に表示されている状態において、ユーザが、操作パネル１７を介して、各入力欄３１，３２に予め設定しているユーザＩＤとパスワードとを入力し、ＯＫボタン３３を押圧すると、ステップｓ２で、表示プロセスは、入力されたユーザＩＤとパスワードとを認証プロセスに渡す。ここで、認証プロセスとは、制御部１２によって実行される、ユーザを認証するためのプロセスのことである。
【００４３】
ステップｓ３で、認証プロセスは、受け取ったユーザＩＤおよびパスワードのうち、ユーザＩＤをストレージプロセスに渡す。ここで、ストレージプロセスとは、制御部１２によって実行される、ストレージ管理用のプロセスのことである。
【００４４】
ステップｓ４で、ストレージプロセスは、受け取ったユーザＩＤを用いて、記憶部１１の前記権限情報データベースを検索し、そのユーザＩＤに関連付けられているユーザ権限情報２１およびグループ権限情報２２を抽出する。
【００４５】
ここで、ユーザＩＤに関連付けられているユーザ権限情報２１とは、そのユーザＩＤが、ユーザ情報２３におけるユーザＩＤの項目に記述されているユーザ権限情報のことである。また、ユーザＩＤに関連付けられているグループ権限情報２２とは、ユーザＩＤに関連付けられているユーザ権限情報２１のユーザ情報２３における所属グループの項目において設定されている部署の名称が、部署の名称を示す情報２６に記述されているグループ権限情報のことである。
【００４６】
ステップｓ５で、ストレージプロセスは、抽出したユーザ権限情報２１およびグループ権限情報２２を、認証プロセスに渡し、ステップｓ６で、認証プロセスは、ステップｓ２で受け取ったユーザＩＤおよびパスワードと、ステップｓ５で受け取ったユーザ権限情報２１およびグループ権限情報２２とを用いて、認証処理を実行する。
【００４７】
認証処理では、先ず、ステップｓ２で受け取ったパスワードが、ステップｓ５で受け取ったユーザ権限情報２１のユーザ情報２３におけるパスワードの項目に記述されているパスワードに一致しているか否かが判定される。そして、判定の結果、一致していると判定された場合には、ステップｓ５で受け取ったユーザ権限情報２１およびグループ権限情報２２のそれぞれから、無線設定情報２４における名称の項目に設定されている、無線設定の名称を示す情報を抽出する。
【００４８】
ステップｓ７で、認証プロセスは、認証結果を表示プロセスに渡す。具体的には、パスワードの不一致により認証に失敗した場合には、その旨を示す情報が認証結果として表示プロセスに渡される。一方、パスワードの一致により認証に成功した場合には、抽出された無線設定の名称を示す情報が、認証結果として表示プロセスに渡される。そして、ステップｓ８で、認証結果を受け取った表示プロセスは、表示部１８に認証結果に応じた画面を表示させる。
【００４９】
図７は、画像形成装置１の表示部１８に表示されるログイン失敗画面Ｄ２の一例を示す図である。表示プロセスは、認証に失敗した旨を示す情報を認証結果として受け取った場合には、図７に示すように、ログインに失敗したことを示す文字情報３４、入力したユーザＩＤおよびパスワードの確認を促す文字情報３５、およびＯＫボタン３６が設けられたログイン失敗画面Ｄ２を表示部１８に表示させる。このログイン失敗画面Ｄ２が表示部１８に表示されている状態において、ユーザが、操作パネル１７を介して、ＯＫボタン３９を押圧すると、無線アクセスポイント１６の動作を開始させるためのシーケンスは終了する。
【００５０】
一方、表示プロセスは、無線設定の名称を示す情報を認証結果として受け取った場合には、そのユーザが利用可能な無線設定のうちの一の無線設定をユーザに選択させるための無線設定選択画面Ｄ３を表示部１８に表示させる。
【００５１】
図８は、画像形成装置１の表示部１８に表示される無線設定選択画面Ｄ３の一例を示す図である。無線設定選択画面Ｄ３には、本実施形態では、無線アクセスポイント１６の起動の要否をユーザに選択させるためのラジオボタン３７と、利用可能な無線設定のうちの一の無線設定をユーザに選択させるためのラジオボタン３８と、入力内容を確定するためのＯＫボタン３９とが設けられている。
【００５２】
なお、ラジオボタン３８は、ラジオボタン３７において無線アクセスポイント１６の起動が必要である旨が選択されている状態においてのみ、選択可能となるようにされている。図８では、ログインに成功したユーザが所属している部署が、「営業部」である場合を例示している。
【００５３】
この無線設定選択画面Ｄ３が表示部１８に表示されている状態において、ユーザが、操作パネル１７を介して、ラジオボタン３７によって無線アクセスポイント１６の起動が必要ではない旨を選択して、ＯＫボタン３９を押圧すると、無線アクセスポイント１６の動作を開始させるためのシーケンスは終了する。
【００５４】
一方、無線設定選択画面Ｄ３が表示部１８に表示されている状態において、ユーザが、操作パネル１７を介して、ラジオボタン３７によって無線アクセスポイント１６の起動が必要である旨を選択して、ＯＫボタン３９を押圧すると、ステップｓ９で、表示プロセスは、ラジオボタン３８によって選択されている無線設定の名称を示す情報を選択情報として認証プロセスに渡す。
【００５５】
ステップｓ１０で、認証プロセスは、ステップｓ５で受け取ったユーザ権限情報２１およびグループ権限情報２２に含まれる無線設定情報２４のうち、ステップｓ９で受け取った無線設定の名称を示す情報が、名称の項目に設定されている無線設定情報２４を抽出する。そして、抽出した無線設定情報２４を、無線アクセスポイント１６の動作の開始を要求する開始要求指示とともに、無線プロセスに渡す。ここで、無線プロセスとは、制御部１２によって実行される、無線アクセスポイント１６の動作制御用のプロセスのことである。
【００５６】
無線プロセスは、認証プロセスから開始要求指示を受け取ると、ステップｓ１１で、併せて受け取った無線設定情報２４を無線アクセスポイント１６に設定して、無線アクセスポイント１６の動作を開始させる。
【００５７】
このようにして、待機状態であった無線アクセスポイント１６が起動されると、無線アクセスポイント１６は、ステップｓ１０で無線プロセスが受け取った無線設定情報２４において設定されているＳＳＩＤなどを通知するためのビーコン信号を、外部へ定期的（たとえば１００ミリ秒ごと）に送出する動作を開始する。
【００５８】
無線アクセスポイント１６が起動すると、ステップｓ１２で、無線プロセスは、無線アクセスポイント１６の動作を開始させる処理が完了した旨を示す情報を、認証プロセスに渡す。
【００５９】
ステップｓ１３で、認証プロセスは、ステップｓ１１において無線アクセスポイント１６に対して設定された無線設定情報２４を、無線設定結果として表示プロセスに渡す。表示プロセスは、この無線設定結果を受け取ると、ステップｓ１４で、表示部１８に無線設定情報２４の内容を示す結果画面Ｄ４を表示させる。
【００６０】
図９は、画像形成装置１の表示部１８に表示される結果画面Ｄ４の一例を示す図である。結果画面Ｄ４には、本実施形態では、無線設定情報２４の内容として、無線設定の名称、ＳＳＩＤ、セキュリティ方式、暗号方式、および暗号化キーを示す文字情報４０が表示されるとともに、ＯＫボタン４１が設けられている。そして、この結果画面Ｄ４が表示部１８に表示されている状態において、ユーザが、操作パネル１７を介して、ＯＫボタン４１を押圧すると、無線アクセスポイント１６の動作を開始させるためのシーケンスは終了する。
【００６１】
上記のようにして、無線アクセスポイント１６が起動し、無線アクセスポイント１６からビーコン信号がブロードキャストされると、ビーコン信号を受け取ったユーザの無線端末装置２は、ビーコン信号に含まれているＳＳＩＤと自装置において予め設定されているＳＳＩＤとを照合し、一致が確認されると、オーセンティケーション（Authentication）のフェーズに移行する。
【００６２】
オーセンティケーションは、事前にお互いが設定していた認証方式で、認証パケットを送受信することによって行われ、この認証によって、正しいクライアントであると判断されると、無線端末装置２は、無線アクセスポイント１６に接続要求（Association Request）を行い、この要求に対して、無線アクセスポイント１６が許可を応答（Association Response）することで、接続が完了し、無線端末装置２と無線アクセスポイント１６との間で無線通信が可能となる。
【００６３】
なお、本実施形態では、上記のように、無線端末装置２と無線アクセスポイント１６との接続手順として、パッシブスキャンの方式を用いているが、アクティブスキャンの方式が用いられてもよい。
【００６４】
このようにして、無線端末装置２と無線アクセスポイント１６とが無線通信可能に接続されると、ユーザは、無線端末装置２に格納されている画像データなどのデータを印刷するための印刷指示を、無線アクセスポイント１６を介して画像形成装置１に与えることが可能となる。
【００６５】
本実施形態に係る画像形成装置１では、ユーザ権限情報２１およびグループ権限情報２２にはそれぞれ、前述のように、無線設定情報２４と印刷設定情報２５とが関連付けて格納されている。そして、画像形成装置１の制御部１２は、無線端末装置２から無線アクセスポイント１６を介して印刷ジョブが与えられると、その印刷ジョブを実行する際に、無線アクセスポイント１６に設定されている無線設定情報２４に関連付けられている印刷設定情報２５でその印刷ジョブが印刷されるように、画像形成部１５を制御するように構成されている。
【００６６】
したがって、ユーザは、無線端末装置２に格納されているデータを無線ＬＡＮ経由で画像形成装置１によって印刷しようとする場合、無線設定選択画面Ｄ３において、ラジオボタン３８を操作し、所望の印刷設定情報２５が関連付けられている無線設定の名称を選択することで、所望の印刷設定で、該データを無線ＬＡＮ経由で印刷することが可能となる。
【００６７】
図１０は、本実施形態に係る画像形成装置１に搭載される無線アクセスポイント１６の動作を停止させるためのシーケンス図である。画像形成装置１において、無線アクセスポイント１６が動作している状態において、ユーザによって、操作パネル１７を介して、ログアウトを要求する指示が与えられると、ステップｓ２１で、表示プロセスは、ログアウトを要求するログアウト要求指示を、認証プロセスに渡す。
【００６８】
ステップｓ２２で、認証プロセスは、無線アクセスポイント１６の動作の停止を要求する停止要求指示を、無線プロセスに渡す。無線プロセスは、認証プロセスから停止要求指示を受け取ると、ステップｓ２３で、無線アクセスポイント１６の動作を停止する処理を実行する。この処理によって、無線アクセスポイント１６の動作が停止されると、無線アクセスポイント１６は待機状態となる。
【００６９】
無線アクセスポイント１６の動作が停止されると、ステップｓ２４で、無線プロセスは、無線アクセスポイント１６の動作を停止させる処理が完了した旨を示す情報を、認証プロセスに渡す。
【００７０】
ステップｓ２５で、認証プロセスは、ログアウト処理を実行する。具体的には、認証に用いられた認証情報を取り消す動作を行う。そして、ステップｓ２６で、認証プロセスは、ログアウト処理が完了した旨を示す情報を表示プロセスに渡し、ステップｓ２７で、表示プロセスは、表示部１８にログアウト処理の完了結果を示す結果画面Ｄ５を表示させる。
【００７１】
図１１は、画像形成装置１の表示部１８に表示される結果画面Ｄ５の一例を示す図である。結果画面Ｄ５には、本実施形態では、無線アクセスポイント１６の動作を停止した旨を示す文字情報４２、およびログアウトが完了した旨を示す文字情報４３が表示されるとともに、ＯＫボタン４４が設けられる。そして、この結果画面Ｄ５が表示部１８に表示されている状態において、ユーザが、操作パネル１７を介して、ＯＫボタン４４を押圧すると、無線アクセスポイント１６の動作を停止させるためのシーケンスは終了する。
【００７２】
以上のように、本実施形態によれば、ユーザが利用したいときにだけ無線アクセスポイント１６を動作させることができるので、無線アクセスポイントを常時動作させる場合と比較して、無線アクセスポイント１６による消費電力を低減することができ、また、装置周囲の電波環境に対して不要に影響を及ぼすことを防止することができる。さらには、第三者による不正なアクセスのリスクを低減することができる。
【００７３】
また、本実施形態によれば、ユーザごとに設定された無線設定情報２４で、無線アクセスポイント１６の動作を開始させることができる。換言すれば、無線アクセスポイント１６を、そのユーザだけが接続可能な状態にすることができる。
【００７４】
したがって、第三者による不正なアクセスによって一のユーザに設定された無線設定情報２４が漏洩してしまったとしても、該ユーザの無線端末装置２に設定されている無線設定情報２４と、画像形成装置１の記憶部１１に格納されている該ユーザのユーザ権限情報２１における無線設定情報２４とを変更するだけで対処することができる。
【００７５】
また、本実施形態によれば、無線設定情報２４には、印刷設定情報２５が関連付けられており、無線端末装置２と無線アクセスポイント１６とが無線通信可能に接続されているときに、無線端末装置２から無線ＬＡＮ経由で印刷ジョブが送信されると、画像形成装置１は、無線アクセスポイント１６に設定されている無線設定情報２４に関連付けられている印刷設定情報２５を用いて、その印刷ジョブを実行するように構成されている。
【００７６】
したがって、予め所望の印刷設定を印刷設定情報２５に格納しておくことにより、ユーザは、無線端末装置２に格納されている画像データなどのデータを、無線ＬＡＮ経由で印刷する際に、別途に印刷設定をすることなく、容易に所望の印刷設定でデータを印刷することができる。
【００７７】
（第２の実施形態）
図１２は、本発明の第２の実施形態に係る画像形成装置１Ａの要部構成を示すブロック図である。本実施形態に係る画像形成装置１Ａは、ＮＦＣ（Near Field Communication）リーダ１９が新たに設けられている点を除き、他の構成については、前述の第１の実施形態に係る画像形成装置１と同様に構成されている。そこで、画像形成装置１Ａにおいて、画像形成装置１と同一の構成については、同一の参照符を付し、重複する説明を省略する。
【００７８】
本実施形態に係る画像形成装置１Ａは、たとえばコンビニエンスストアなど公共の場所に設置され、不特定のユーザによって用いられる場合を想定している。第１の実施形態に係る画像形成装置１では、ユーザ権限情報２１を予め記憶部１１に格納しておく必要があったが、本実施形態では、前記のような利用シーンを想定しているため、画像形成装置１Ａの記憶部１１に対して、ユーザ権限情報２１を事前に格納しておくことは現実的ではない。
【００７９】
そこで、このような不具合を解消するために、本実施形態に係る画像形成装置１Ａでは、第１の実施形態に係る画像形成装置１の構成に加えて、近距離無線通信部として機能するＮＦＣリーダ１９が設けられている。ＮＦＣリーダ１９は、たとえば操作パネル１７の近傍に設置される。本実施形態では、ＮＦＣリーダ１９は、第１の入力部として機能し、操作パネル１７は、第２の入力部として機能する。
【００８０】
なお、これに対応して、本実施形態では、無線端末装置２は、ＮＦＣリーダ１９とデータ通信可能に構成されるものとし、たとえばＮＦＣ対応のＩＣ（Integrated Circuit）チップが搭載されて構成される。
【００８１】
そして、このＩＣチップ内には、その無線端末装置２を所有するユーザによって予め設定されたユーザ権限情報２１が格納される。なお、本実施形態においては、ユーザ権限情報２１には、少なくとも、そのユーザを認証するための認証情報と、無線設定情報２４とが含まれていればよい。認証情報は、たとえば、第１の実施形態と同様に、ユーザＩＤとパスワードとによって実現されてもよく、パスワードだけ、あるいは生体情報だけによって実現されてもよい。なお、このユーザ権限情報２１が事前入力情報に相当する。
【００８２】
以下、本実施形態に係る画像形成装置１Ａに搭載される無線アクセスポイント１６と無線端末装置２とを無線通信可能に接続する方法について説明する。なお、前記と同様に、画像形成装置１Ａに搭載される無線アクセスポイント１６は、無線端末装置２が無線通信可能に接続されていない待機状態では、その動作が停止されているものとする。
【００８３】
本実施形態では、ユーザによって、操作パネル１７を介して、無線アクセスポイント１６の動作を開始させるためのモードへ移行するための指示が与えられると、表示プロセスは、ユーザ権限情報２１の送信を要求する文字情報を、表示部１８の画面上に表示させる。この文字情報には、たとえば、ユーザの無線端末装置２をＮＦＣリーダ１９にかざす旨の指示が含まれる。
【００８４】
また、表示プロセスは、前記文字情報の表示に合わせて、ＮＦＣリーダ１９の動作を開始させる。すなわち、ＮＦＣリーダ１９は、動作開始の直前までは、近距離無線通信を行うことができない待機状態とされており、動作が開始されることによって、無線端末装置２のＩＣチップ内に格納されているユーザ権限情報２１を読み取り可能となる。
【００８５】
そして、ユーザが、無線端末装置２をＮＦＣリーダ１９にかざすことにより、無線端末装置２からＮＦＣリーダ１９へユーザ権限情報２１が送信されると、表示プロセスは、送信されたユーザ権限情報２１を、ＮＦＣリーダ１９から取得し、取得したユーザ権限情報２１を記憶部１１に格納する。ユーザ権限情報２１が記憶部１１に格納されると、表示プロセスは、表示部１８にログイン画面Ｄ１を表示させ、以降、図５に示すシーケンスに従って動作する。
【００８６】
なお、認証情報がパスワードだけである場合には、ログイン画面Ｄ１ではなく、ユーザＩＤを入力するための入力欄３１を省略したログイン画面が表示される。また、認証情報が生体情報だけである場合には、ログイン画面には、生体情報を読み取るための動作をユーザに促す文字情報が表示される。さらに、認証情報がパスワードだけあるいは生体情報だけである場合には、図５に示すシーケンスにおいて、ステップｓ２では、入力されたパスワードあるいは生体情報だけが認証プロセスに渡され、ステップｓ３では、そのパスワードあるいは生体情報がストレージプロセスに渡される。
【００８７】
以上のように、本実施形態によれば、ユーザ権限情報２１を予め記憶部１１に格納しておくことができないような場合においても、第１の実施形態と同様に、ユーザが利用したいときにだけ無線アクセスポイント１６を動作させることができるので、無線アクセスポイントを常時動作させる場合と比較して、無線アクセスポイント１６による消費電力を低減することができ、また、装置周囲の電波環境に対して不要に影響を及ぼすことを防止することができる。
【００８８】
また、本実施形態によれば、第１の実施形態と同様に、ユーザごとに設定された無線設定情報２４で、無線アクセスポイント１６の動作を開始させることができる。換言すれば、無線アクセスポイント１６を、そのユーザだけが接続可能な状態にすることができる。
【００８９】
したがって、第三者による不正なアクセスによってそのユーザに設定された無線設定情報２４が漏洩してしまったとしても、該ユーザの無線端末装置２に設定されている無線設定情報２４を変更するだけで対処することができる。なお、本実施形態では、図１０に示す無線サクセスポイント１６の動作を停止させる処理が完了すると、ＮＦＣリーダ１９を介して入力された情報は消去される。
【００９０】
本実施形態に係る画像形成装置１Ａは、コンビニエンスストアなど公共の場所に設置され、無線端末装置２に記憶されている画像データを、画像形成装置１Ａで印刷するといった用途に、好適に用いることができる。
【００９１】
（第３の実施形態）
図１３は、本発明の第３の実施形態に係る画像形成装置１Ｂの要部構成を示すブロック図である。本実施形態に係る画像形成装置１Ｂは、パスワード生成部２０が新たに設けられている点を除き、他の構成については、前述の第２の実施形態に係る画像形成装置１Ａと同様に構成されている。そこで、画像形成装置１Ｂにおいて、画像形成装置１、画像形成装置１Ａと同一の構成については、同一の参照符を付し、重複する説明を省略する。
【００９２】
本実施形態に係る画像形成装置１Ｂは、前記第２の実施形態と同様に、コンビニエンスストアなど公共の場所に設置され、不特定のユーザによって用いられる場合を想定している。本実施形態に係る画像形成装置１Ｂは、第２の実施形態に係る画像形成装置１Ａの構成に加えて、一定時間だけ一度限り有効なワンタイムパスワードを生成するパスワード生成部２０が設けられている。本実施形態では、第２の実施形態と同様に、ＮＦＣリーダ１９は、第１の入力部として機能し、操作パネル１７は、第２の入力部として機能する。また、パスワード生成部２０は、認証情報生成部として機能する。
【００９３】
また、本実施形態においても、第２の実施形態と同様に、無線端末装置２には、ＮＦＣ対応のＩＣチップが搭載され、このＩＣチップ内には、その無線端末装置２を所有するユーザによって予め設定されたユーザ権限情報２１が格納されるが、本実施形態では、少なくとも、ユーザ権限情報２１には、無線設定情報２４が含まれていればよい。なお、このユーザ権限情報２１が事前入力情報に相当する。
【００９４】
以下、本実施形態に係る画像形成装置１Ｂに搭載される無線アクセスポイント１６と無線端末装置２とを無線通信可能に接続する方法について説明する。なお、前記と同様に、画像形成装置１Ｂに搭載される無線アクセスポイント１６は、無線端末装置２が無線通信可能に接続されていない待機状態では、その動作が停止されているものとする。
【００９５】
本実施形態では、ユーザによって、操作パネル１７を介して、無線アクセスポイント１６の動作を開始させるためのモードへ移行するための指示が与えられると、制御部１２は、ユーザ権限情報２１の送信を要求する文字情報を、表示部１８の画面上に表示させる。この文字情報には、たとえば、ユーザの無線端末装置２をＮＦＣリーダ１９にかざす旨の指示が含まれる。
【００９６】
また、制御部１２は、前記文字情報の表示に合わせて、ＮＦＣリーダ１９の動作を開始させる。すなわち、ＮＦＣリーダ１９は、動作開始の直前までは、近距離無線通信を行うことができない待機状態とされており、動作が開始されることによって、無線端末装置２のＩＣチップ内に格納されているユーザ権限情報２１を読み取り可能となる。
【００９７】
そして、ユーザが、無線端末装置２をＮＦＣリーダ１９にかざすことにより、無線端末装置２からＮＦＣリーダ１９へユーザ権限情報２１が送信されると、制御部１２は、送信されたユーザ権限情報２１を、ＮＦＣリーダ１９から取得し、取得したユーザ権限情報２１を記憶部１１に格納する。
【００９８】
ユーザ権限情報２１が記憶部１１に格納されると、制御部１２は、パスワード生成部２０に認証情報として用いるためのワンタイムパスワードを生成させ、生成されたワンタイムパスワードを、記憶部１１に格納するとともに、表示部１８の画面上に一定時間だけ表示させる。そして、制御部１２は、表示部１８にログイン画面を表示させ、以降、図５に示すシーケンスに従って動作する。
【００９９】
なお、この場合のログイン画面には、ログイン画面Ｄ１とは異なり、ユーザＩＤを入力するための入力欄３１は不要である。また、図５に示すシーケンスにおいて、ステップｓ２では、入力されたパスワードだけが認証プロセスに渡され、ステップｓ３では、そのパスワードがストレージプロセスに渡される。
【０１００】
以上のように、本実施形態によれば、ユーザ権限情報２１を予め記憶部１１に格納しておくことができないような場合においても、第１の実施形態と同様に、ユーザが利用したいときにだけ無線アクセスポイント１６を動作させることができるので、無線アクセスポイントを常時動作させる場合と比較して、無線アクセスポイント１６による消費電力を低減することができ、また、装置周囲の電波環境に対して不要に影響を及ぼすことを防止することができる。
【０１０１】
また、本実施形態によれば、第１の実施形態と同様に、ユーザごとに設定された無線設定情報２４で、無線アクセスポイント１６の動作を開始させることができる。換言すれば、無線アクセスポイント１６を、そのユーザだけが接続可能な状態にすることができる。
【０１０２】
したがって、第三者による不正なアクセスによってそのユーザに設定された無線設定情報２４が漏洩してしまったとしても、該ユーザの無線端末装置２に設定されている無線設定情報２４を変更するだけで対処することができる。なお、本実施形態では、図１０に示す無線サクセスポイント１６の動作を停止させる処理が完了すると、ＮＦＣリーダ１９を介して入力された情報は消去される。
【０１０３】
本実施形態に係る画像形成装置１Ｂは、コンビニエンスストアなど公共の場所に設置され、無線端末装置２に記憶されている画像データを、画像形成装置１Ｂで印刷するといった用途に、好適に用いることができる。
【０１０４】
（他の実施形態）
上記の各実施形態では、無線アクセスポイント１６が搭載される電子機器として、画像形成装置１，１Ａ，１Ｂを例に挙げて説明したが、これに限らず、無線アクセスポイントが搭載される電子機器としては、たとえば音楽再生装置や映像再生装置などであってもよい。
【０１０５】
この場合には、ユーザの無線端末装置に記憶されている音楽データまたは映像データを、無線アクセスポイントを介して、その音楽再生装置または映像再生装置へ転送し、その音楽データの音声出力または映像データの映像出力をさせるといった利用シーンが実現される。
【符号の説明】
【０１０６】
１  画像形成装置
２  無線端末装置
１１  記憶部
１２  制御部
１３  画像入力部
１４  画像処理部
１５  画像形成部
１６  無線アクセスポイント
１７  操作パネル
１８  表示部
２１  ユーザ権限情報
２２  グループ権限情報
【図１】
2015073253.tif 000003
【図２】
2015073253.tif 000004
【図３】
2015073253.tif 000005
【図４】
2015073253.tif 000006
【図５】
2015073253.tif 000007
【図６】
2015073253.tif 000008
【図７】
2015073253.tif 000009
【図８】
2015073253.tif 000010
【図９】
2015073253.tif 000011
【図１０】
2015073253.tif 000012
【図１１】
2015073253.tif 000013
【図１２】
2015073253.tif 000014
【図１３】
2015073253.tif 000015